(57)【要約】【課題】読み込んだ画像データを表示手段に表示するのに好適な画像読込装置及び画像データ表示プログラムを提供すること。【解決手段】読込手段１２が原稿を読み込んで取得した画像データを表示手段３０に表示する画像読込装置１において、読込手段１２が全ての原稿を読み込んだ後に、画像データを表示手段３０に表示させる第１モードと、読込手段１２が原稿を１枚読み込む毎に画像データを表示手段３０に表示させる第２モードとを選択する選択手段を設ける。【選択図】図５
2007274172.tif 000002
【特許請求の範囲】
【請求項１】
読込手段が原稿を読み込んで取得した画像データを表示手段に表示する画像読込装置において、
前記読込手段が全ての原稿を読み込んだ後に、前記画像データを前記表示手段に表示させる第１モードと、前記読込手段が前記原稿を１枚読み込む毎に前記画像データを前記表示手段に表示させる第２モードとを選択する選択手段を有することを特徴とする画像読込装置。
【請求項２】
請求項１に記載する画像読込装置において、
前記画像データの表示を指示する表示指示手段と、
前記選択手段によって前記第１モードが選択されたときに、前記読込手段が取得した画像データを前記表示指示手段の指示に従って前記表示手段に順次表示させる第１表示制御手段と
を有することを特徴とする画像読込装置。
【請求項３】
請求項１又は請求項２に記載する画像読込装置において、
前記選択手段によって前記第２モードが選択されたときに、前記読込手段が前記原稿を１枚読み込む毎に、読み込んだ原稿に対応する画像データを前記表示手段に表示させる第２表示制御手段を有することを特徴とする画像読込装置。
【請求項４】
請求項１乃至請求項３の何れか１つに記載する画像読込装置において、
前記表示手段が表示する画像データを確認する確認手段と、
前記画像データが不適切であることを前記確認手段が確認したときに、不適切であることを確認された画像データを破棄する破棄手段と
を有することを特徴とする画像読込装置。
【請求項５】
請求項４に記載する画像読込装置において、
前記画像データが適切であることを前記確認手段が確認したときに、外部装置に前記画像データを送信する送信制御手段を有すること
を特徴とする画像読込装置。
【請求項６】
請求項１乃至請求項５の何れか１つに記載する画像読込装置において、
前記読込手段が各原稿について読み込んだ画像データを記憶する第１記憶手段と、
前記読込手段が再読込みした原稿の画像データを記憶する第２記憶手段と、
前記第１記憶手段に記憶されている画像データを前記第２記憶手段に記憶されている画像データに置き換える置換手段と
を有することを特徴とする画像読込装置。
【請求項７】
請求項１乃至請求項５の何れか１つに記載する画像読込装置において、
再読込みする原稿を識別可能に記憶する識別手段と、
前記識別手段に記憶された原稿を指定する表示を前記表示手段に行う指定表示手段と
を有することを特徴とする画像読込装置。
【請求項８】
コンピュータを、
原稿を読み込んで画像データを取得する読込手段と、
前記読込手段が前記原稿を全て読み込んだ後に前記画像データを表示手段に表示させる第１モードと、前記読込手段が前記原稿を１枚読み込む毎に前記画像データを前記表示手段に表示させる第２モードとを選択させる選択手段と、
前記選択手段が選択したモードに従って前記表示手段に前記画像データを表示させる表示制御手段として機能させること
を特徴とする画像データ表示プログラム。
【請求項９】
請求項８に記載する画像データ表示プログラムにおいて、
前記表示制御手段は、前記選択手段によって前記第２モードが選択されたときに、前記読込手段が前記原稿を１枚読み込む毎に読み込んだ原稿に対応する画像データを前記表示手段に表示させるものであること
を特徴とする画像データ表示プログラム。
【発明の詳細な説明】
【技術分野】
【０００１】
本発明は、読み取った画像データを表示手段に表示する画像読込装置及び画像データ表示プログラムに関する。
【背景技術】
【０００２】
従来より、複数枚の原稿を読み取って取得した画像データを印刷前に表示部に表示するコピー機がある。例えば、特許文献１に記載されるコピー機は、２０枚の原稿を順次読み取ってその読取画像データを蓄積記憶し、原稿読み取り中に蓄積された読取画像データの確認画像データを生成して表示部に表示する。この画像確認処理（プレビュー処理）は、ユーザがコピー機に画像確認処理実行指示を与えることにより行われる。ユーザが、表示部に表示された確認画像データを確認し、原稿の再読込みをコピー機に指示すると、コピー機は、再読込みを指示されたページの画像データを破棄し、破棄したページ位置に再読込みされた読取画像データを差し替えて蓄積する。このようにしてユーザが原稿の読み取り状態を確認し、原稿の読み込みが完了したことをコピー機に指示すると、コピー機が蓄積された読取画像データを記録用紙に印刷する。よって、特許文献１に記載されるコピー機によれば、全ての一連の原稿の読み込みが終了しなくても原稿の読取画像データを確認することができる。
【０００３】
【特許文献１】特開２００４−２２２２４６号公報
【発明の開示】
【発明が解決しようとする課題】
【０００４】
しかしながら、従来のコピー機は、ユーザがコピー機に画像確認処理実行指示を与えるのを待ってプレビュー処理を実行する。そのため、例えば、ユーザが原稿の読み取り状態を１枚ずつ確認したい場合には、ユーザが原稿を１枚読み取る毎に画像確認処理実行指示をコピー機に入力しなければならず、操作に手間がかかり、使い勝手が悪かった。
【０００５】
そこで、本発明は、上記問題点を解決するためになされたものであり、読み込んだ画像データを表示手段に表示するのに好適な画像読込装置及び画像データ表示プログラムを提供することを目的とする。
【課題を解決するための手段】
【０００６】
本発明に係る画像読込装置及び画像データ表示プログラムは、以下の構成を有する。
（１）読込手段が原稿を読み込んで取得した画像データを表示手段に表示する画像読込装置において、前記読込手段が全ての原稿を読み込んだ後に、前記画像データを前記表示手段に表示させる第１モードと、前記読込手段が前記原稿を１枚読み込む毎に前記画像データを前記表示手段に表示させる第２モードとを選択する選択手段を有することを特徴とする。
【０００７】
（２）（１）に記載の発明において、前記画像データの表示を指示する表示指示手段と、前記選択手段によって前記第１モードが選択されたときに、前記読込手段が取得した画像データを前記表示指示手段の指示に従って前記表示手段に順次表示させる第１表示制御手段と有することを特徴とする。
【０００８】
（３）（１）又は（２）に記載の発明において、前記選択手段によって前記第２モードが選択されたときに、前記読込手段が前記原稿を１枚読み込む毎に、読み込んだ原稿に対応する画像データを前記表示手段に表示させる第２表示制御手段を有することを特徴とする。
【０００９】
（４）（１）乃至（３）の何れか１つに記載の発明において、前記表示手段が表示する画像データを確認する確認手段と、前記画像データが不適切であることを前記確認手段が確認したときに、不適切であることを確認された画像データを破棄する破棄手段とを有することを特徴とする。
【００１０】
（５）（４）に記載の発明において、前記画像データが適切であることを前記確認手段が確認したときに、外部装置に前記画像データを送信する送信制御手段とを有することを特徴とする。
【００１１】
（６）（１）乃至（５）の何れか１つに記載の発明において、前記読込手段が各原稿について読み込んだ画像データを記憶する第１記憶手段と、前記読込手段が再読込みした原稿の画像データを記憶する第２記憶手段と、前記第１記憶手段に記憶されている画像データを前記第２記憶手段に記憶されている画像データに置き換える置換手段とを有することを特徴とする。
【００１２】
（７）（１）乃至（５）の何れか１つに記載の発明において、再読込みする原稿を識別可能に記憶する識別手段と、前記識別手段に記憶された原稿を指定する表示を前記表示手段に行う指定表示手段とを有することを特徴とする。
【００１３】
（８）画像データ表示プログラムにおいて、コンピュータを、原稿を読み込んで画像データを取得する読込手段と、前記読込手段が前記原稿を全て読み込んだ後に前記画像データを表示手段に表示させる第１モードと、前記読込手段が前記原稿を１枚読み込む毎に前記画像データを前記表示手段に表示させる第２モードとを選択させる選択手段と、前記選択手段が選択したモードに従って前記表示手段に前記画像データを表示させる表示制御手段として機能させることを特徴とする。
【００１４】
（９）（８）に記載の発明において、前記表示制御手段は、前記選択手段によって前記第２モードが選択されたときに、前記読込手段が前記原稿を１枚読み込む毎に読み込んだ原稿に対応する画像データを前記表示手段に表示させるものであることを特徴とする。
【発明の効果】
【００１５】
本発明の画像読込装置によれば、読込手段が全ての原稿を読み込んだ後に、画像データを表示手段に表示させる第１モードと、読込手段が原稿を１枚読み込む毎に画像データを表示手段に表示させる第２モードとを選択手段によって選択可能したので、モードを切り替えるだけで画像データの表示方法を変更することができ、ユーザの使い勝手を向上させることができる。
【００１６】
また、本発明の画像読込装置によれば、選択手段によって第１モードが選択されたときには、読込手段が取得した画像データを表示指示手段の指示に従って表示手段に順次表示させるので、原稿を１枚読み込む毎にその原稿の画像データを表示手段に表示させるための操作をする場合と比べて、操作性を向上させることができる。
【００１７】
また、本発明の画像読込装置によれば、選択手段によって第２モードが選択されたときには、読込手段が原稿を１枚読み込む毎に、読み込んだ原稿に対応する画像データを表示手段に表示させるので、原稿枚数が多い場合でも、ユーザが原稿の読み込み状況を１枚ずつ確実に確認することができる。
【００１８】
また、本発明の画像読込装置によれば、表示手段が表示する画像データを確認する確認手段が、読み込んだ画像データが不適切であることを確認したときに、破棄手段が不適切であることを確認された画像データを破棄するので、適切な画像データのみを画像読込装置に残し、良好な読み込み品質を確保することができる。
【００１９】
また、本発明の画像読込装置によれば、画像データが適切であることを確認手段が確認してから、外部装置に画像データを送信するので、画像データの送信ミスを低減することができる。
【００２０】
また、本発明の画像読込装置によれば、読込手段が各原稿について読み込んだ画像データを、読込手段が再読込みした原稿の画像データに置き換えることにより、読み込みが良好に行われた画像データのみを効率良く蓄積することができる。
【００２１】
また、本発明の画像読込装置によれば、再読込みする原稿を識別手段に記憶しておき、識別手段に記憶された原稿を指定する表示を表示手段に行うので、再読込みが必要な原稿をユーザが容易に確認することができ、再読込みに要するユーザの負担を軽減させることができる。
【００２２】
本発明の画像データ表示プログラムによれば、読込手段が原稿を全て読み込んだ後に画像データを表示手段に表示させる第１モードと、読み込み手段が原稿を１枚読み込む毎に画像データを表示手段に表示させる第２モードとを選択手段を用いてユーザに選択させ、ユーザが選択したモードに従って表示手段に画像データを表示させるようにコンピュータを機能させるので、モードを切り替えるだけで画像データの表示方法を変更することができ、ユーザの使い勝手を向上させることができる。
【００２３】
また、本発明の画像データ表示プログラムによれば、ユーザが選択手段によって第２モードを選択したときに、読込手段が原稿を１枚読み込む毎に読み込んだ原稿に対応する画像データを表示手段に表示させるようにコンピュータを機能させるので、原稿枚数が多い場合でも、ユーザが原稿の読み込み状況を１枚ずつ確実に確認することができる。
【発明を実施するための最良の形態】
【００２４】
次に、本発明に係る画像読込装置及び画像データ表示プログラムの一実施の形態について図面を参照して説明する。
【００２５】
（第１実施形態）
＜ネットワークシステム＞
図１は、第１実施形態に係る複合機１を含むネットワークシステムの概念図である。
画像読込システム１は、「画像読込装置」の一例である複合機１に周知のパソコン２がＬＡＮ３を介して複数台接続されている。複合機１は、公衆電話回線網を介してファクシミリ装置５に接続され、ファクシミリデータを送受信する。また、複合機１は、ＬＡＮ３、ファイアウォール４を介してインターネット網に接続され、電子メールやインターネットファクシミリデータを送受信する。
【００２６】
＜複合機＞
図２は、複合機１の外観斜視図であって、画像読取ユニット１２を閉じた状態を示す。また、図３は、複合機１の外観斜視図であって、画像読取ユニット１２を開いた状態を示す。
複合機１は、フラットベッドタイプの画像形成装置である。複合機１は、画像形成ユニット１１と「読込手段」の一例である画像読取ユニット１２とにより外観が構成され、ファクシミリ機能及びコピー機能、スキャナ機能、プリンタ機能を有する。
【００２７】
画像形成ユニット１１は、記録用紙に画像データを形成するものである。画像形成ユニット１１は、箱形の本体ケーシング１３に給紙カセット１４が脱着可能に取り付けられている。給紙カセット１４には、複数枚の記録用紙が積層して収容される。本体ケーシング１３は、給紙カセット１４からピックアップした記録用紙に画像をカラー又はモノクロで形成するプリンタ部１５（図４参照）を内蔵し、上面に形成された排紙部１６に画像形成済みの記録用紙が排紙されるようになっている。
【００２８】
画像形成ユニット１１には、排紙部１６を覆うように、画像読取ユニット１２が第１のヒンジ部（図示せず）を介して回動可能に連結されている。画像読取ユニット１２は、図３に示すように、原稿カバー２０が上部ケーシング１７に図示しない第２のヒンジ部を介して回動可能に連結されている。上部ケーシング１７は、原稿が載置されるプラテンガラス１８を備え、プラテンガラス１８に載置された原稿の画像を読み取るためのスキャン部１９（図４参照）を内蔵する。一方、図２に示すように、原稿カバー２０には、周知の原稿自動送り機構（以下「ＡＤＦ機構」という。）２１が設けられ、原稿給紙トレイ２２にセットされた原稿を１枚ずつ連続してプラテンガラス１８に送り出せるようになっている。
【００２９】
このような画像読取ユニット１２には、複合機１の動作を設定操作するための操作パネル２３が上部ケーシング１７に設けられている。操作パネル２３は、例えば、数字を入力するテンキー２４や、スキャナ機能・コピー機能・ファクシミリ機能・プリント機能を切り替える切替キー２５、操作をナビゲートするナビゲーションキー２６、操作を確定させるＯＫキー２７、設定操作を中止するキャンセルキー２８、原稿読み取りやファクシミリの送信などをスタートさせるスタートキー２９などの「表示指示手段」の一例であるキー類を備える。また例えば、操作パネル２３は、画像データをカラー又はモノクロで表示する「表示手段」の一例である液晶ディスプレイ３０を備える。
【００３０】
＜複合機の制御構成＞
図４は、複合機１の電気ブロック図である。
複合機１は、図４に示すコンピュータにより動作を制御される。コンピュータの構成は周知であるので詳細な説明を割愛するが、簡単に説明すると、ＲＯＭ（Read Only Memory）３２とＲＡＭ（Random Access Memory）３３とＥＥＰＲＯＭ（Electronically Erasable and Programmable Read Only Memory）３４とがバス３５を介してＣＰＵ（Central Processing Unit）３１に電気的に接続されている。
【００３１】
ＥＥＰＲＯＭ３４には、本実施形態の画像データ表示プログラム４１が格納されている。画像データ表示プログラム４１については後述する。また、ＥＥＰＲＯＭ３４には、ＯＮ／ＯＦＦ設定記憶手段４２とモード設定記憶手段４３が設けられている。
【００３２】
ＯＮ／ＯＦＦ設定記憶手段４２は、ＦＡＸ送信時に読み取った原稿をプレビュー表示するか否かを記憶するものである。プレビュー表示するときにはＯＮ設定を記憶し、プレビュー表示しない場合にはＯＦＦ設定を記憶する。
モード設定記憶手段４３は、ＦＡＸ送信時のプレビューモードが第１モードと第２モードの何れに設定されているかを記憶するものである。ここで、「第１モード」とは、画像読取ユニット１２が全ての原稿を読み込んだ後に、画像データを液晶ディスプレイ３０に表示させるモードをいう。また、「第２モード」とは、画像読取ユニット１２が原稿を１枚読み込む毎に画像データを液晶ディスプレイ３０に表示させるモードをいう。
【００３３】
バス３４は、Ａｓｉｃ（Application Specific Integrated Circuit）３６にも電気的に接続され、複合機１を構成する電子部品との間で信号を送受信する。
【００３４】
Ａｓｉｃ３６には、プリンタ部１５、スキャナ部１９、ＡＤＦ機構２１、パネルＧＡ３７、ＬＣＤコントローラ３８、ＮＣＵ３９などが接続される。
【００３５】
パネルＧＡ３７は、テンキー２４、切替キー２５、ナビゲーションキー２６、ＯＫキー２７、キャンセルキー２８、スタートキー２９などのキー類に接続し、操作パネル２３に入力されたデータを取得する。
ＬＣＤコントローラ３８は、液晶ディスプレイ３０の表示を制御する。
ＮＣＵ（Network Control Unit）は、モデム４０を介して公衆回線網に接続し、ファクシミリデータの送信時に通信先の呼出信号を送り出す。
【００３６】
＜複合機の動作説明＞
続いて、複合機１の動作について図面を参照しながら説明する。
ここでは、複合機１が、図１に示すファクシミリ装置５に１０枚の原稿をＦＡＸ送信する場合を例に挙げて説明する。
【００３７】
図５は、画像データ表示プログラム４１のフロー図である。
画像表示プログラム４１は、原稿の読取り不良が生じたとユーザが判断したときに、読み込んだ原稿を全て破棄し、原稿の読み込みをユーザに最初からやり直させるように構成されている。
【００３８】
すなわち、複合機１は、電源が投入されたときに画像データ表示プログラム４１をＥＥＰＲＯＭ３４から読み出し、先ずステップ１（以下「Ｓ１」という。）において、ＥＥＰＲＯＭ３４のＯＮ／ＯＦＦ設定記憶手段４２に記憶されているＯＮ／ＯＦＦ設定を読み出して、ＲＡＭ３３に記憶する。そして、Ｓ２において、ＥＥＰＲＯＭ３４のモード設定記憶手段４３に記憶されているモードを読み出して、ＲＡＭ３３に記憶する。
【００３９】
Ｓ１とＳ２の処理は、複合機１が前回電源を切られたときに、ＦＡＸ送信原稿をプレビュー表示する状態であったか、プレビュー表示する状態であったならば第１モードと第２モードの何れであったかを把握するために行う。これにより、プレビュー表示について何も設定されていない空白期間がなくなる。
【００４０】
そして、Ｓ３において、ＦＡＸ送信プレビューＯＮ／ＯＦＦ設定設定処理を実行する。この処理では、ＦＡＸ送信前に送信原稿を確認するか否かをユーザが自由に設定できるようにしている。
【００４１】
ＦＡＸ送信プレビューＯＮ／ＯＦＦ設定設定処理について図６を参照して具体的に説明する。図６は、ＦＡＸ送信プレビューＯＮ／ＯＦＦ設定設定処理のフロー図である。
複合機１は、Ｓ３０１において、ＦＡＸ送信プレビューＯＮ／ＯＦＦ設定を変更する指示が入力されたか否かを判断する。例えば、複合機１は、ユーザが切替キー２５によってファクシミリ機能を選択すると、ＦＡＸ送信のメニュー画面に設定項目「ＦＡＸ送信プレビューＯＮ／ＯＦＦ設定」が表示される。ユーザが、ナビゲーションキー２６を操作して設定項目「ＦＡＸ送信プレビューＯＮ／ＯＦＦ設定」を選択したか否かを判断する。
【００４２】
ユーザが、ナビゲーションキー２６を操作して設定項目「ＦＡＸ送信プレビューＯＮ／ＯＦＦ設定」を選択せず、ＦＡＸ送信プレビューＯＮ／ＯＦＦ設定を変更する指示を入力しない場合には（Ｓ３０１：Ｎｏ）、ユーザは現在の設定内容で良いと考えているので、そのまま図５のＳ３へ戻る。
【００４３】
一方、ユーザが、ナビゲーションキー２６を操作して設定項目「ＦＡＸ送信プレビューＯＮ／ＯＦＦ設定」を選択し、ＦＡＸ送信プレビューＯＮ／ＯＦＦ設定を変更する指示を入力した場合には（Ｓ３０１：Ｙｅｓ）、ユーザが現在の設定内容を変更したいと考えているので、Ｓ３０２へ進む。
【００４４】
そして、Ｓ３０２において、ＯＮ／ＯＦＦ設定記憶手段４２に記憶されている設定内容をＲＡＭ３３に一時的に記憶する。そして、Ｓ３０３において、ＲＡＭ３３に記憶した設定内容がＯＮ設定であるかＯＦＦ設定であるかを判断する。この判断は、液晶ディスプレイ３０に表示する内容を決定するために行われる。
【００４５】
現在の設定がＯＮ設定である場合には（Ｓ３０３：ＯＮ）、例えば、液晶ディスプレイ３０にＯＮ設定とＯＦＦ設定を左右に並べて表示し、ＯＮ設定表示の下にカーソルを表示することにより、現在の設定がＯＮ設定であることをユーザに認識させる。そして、Ｓ３０４において、ユーザがナビゲーションキー２６を左右方向に操作したか否かを判断する。
【００４６】
ユーザがナビゲーションキー２６を左右方向に操作した場合には（Ｓ３０４：Ｙｅｓ）、液晶ディスプレイ３０のカーソル位置がＯＮ設定からＯＦＦ設定に移動し、ユーザがＦＡＸ送信プレビューの表示をＯＮ設定からＯＦＦ設定に切り替える意志があると考えられる。そこで、Ｓ３０５において、Ｓ３０２でＲＡＭ３３に取得した設定内容をＯＮ設定からＯＦＦ設定に書き換える。それから、Ｓ３０９へ進む。Ｓ３０９以降の処理については後述する。
【００４７】
一方、ユーザがナビゲーションキー２６を操作しない場合には（Ｓ３０４：Ｎｏ）、液晶ディスプレイ３０に表示されるカーソルの位置がＯＮ設定に合わされているので、Ｓ３０６において、ユーザがキャンセルキー２８を押下したか否かを判断する。
【００４８】
ユーザがキャンセルキー２８を押下した場合には（Ｓ３０６：Ｙｅｓ）、ユーザがＯＮ／ＯＦＦ設定を変更する意志がなくなったと考えられるので、そのまま図５のＳ３に戻る。
しかし、ユーザがキャンセルキー２８を押下しない場合には（Ｓ３０６：Ｎｏ）、ユーザがＯＮ／ＯＦＦ設定を変更する意志があると考えられるので、Ｓ３０７において、ＯＫキー２７が押下されたか否かを判断する。
【００４９】
ＯＫキー２７が押下されない場合には（Ｓ３０７：Ｎｏ）、ユーザがＯＮ／ＯＦＦ設定を変更する可能性があるので、Ｓ３０４に戻って待機する。
一方、ＯＫキー２７が押下された場合には（Ｓ３０７：Ｙｅｓ）、ＯＮ／ＯＦＦ設定をＯＮ設定に確定させることを意味するので、Ｓ３０８において、ＥＥＰＲＯＭ３４のＯＮ／ＯＦＦ設定記憶手段４２をＯＮ設定に書き換える。その後、図５のＳ３に戻る。
【００５０】
これに対して、Ｓ３０３において、Ｓ３０２でＲＡＭ３３に取得したＯＮ／ＯＦＦ設定がＯＦＦ設定であると判断した場合には（Ｓ３０３：ＯＦＦ）、Ｓ３０９以降の処理を行う。Ｓ３０９以降の処理は、Ｓ３０４〜Ｓ３０８の処理と同様であるので、ここでは簡単に説明する。
【００５１】
液晶ディスプレイ３０には、現在の設定がＯＦＦ設定であることとＯＮ／ＯＦＦ設定を変更することを確認する確認メッセージが表示されている。このとき、ユーザがナビゲーションキー２６によって、例えば液晶ディスプレイ３０に表示されたカーソルの位置をＯＦＦ設定からＯＮ設定に移動させた場合には（Ｓ３０９：Ｙｅｓ）、Ｓ３１０において、Ｓ３０２でＲＡＭ３３に取得したＯＦＦ設定をＯＮ設定に書き換えた後、Ｓ３０４へ進み、ＦＡＸ送信プレビュー表示のＯＮ／ＯＦＦ設定をＯＮ設定にする処理を行う。一方、ナビゲーションキー２６が操作されなかった場合には（Ｓ３０９：Ｎｏ）、Ｓ３１１において、ＯＮ／ＯＦＦ設定の変更を中止するか否かをユーザに確認した後、Ｓ３１２において、ＯＮ／ＯＦＦ設定をＯＦＦ設定に確定してよいかユーザに確認する。この場合に、ユーザがＦＡＸ送信プレビュー表示のＯＮ／ＯＦＦ設定をＯＦＦ設定にすることを選択すれば（Ｓ１１：ＮＯ、Ｓ３１２：Ｙｅｓ）、Ｓ３０８において、ＯＮ／ＯＦＦ設定記憶手段４２をＯＦＦ設定に書き換えた後、図５のＳ３に戻る。
【００５２】
このようにして図５に示すＳ３の処理が終了したら、図５のＳ４において、ＦＡＸ送信プレビューモード設定処理を行う。ＦＡＸ送信プレビューモード設定処理は、ＦＡＸ送信する原稿を第１モードでプレビュー表示するか、第２モードでプレビュー表示するかをユーザに選択させるものである。
【００５３】
ＦＡＸ送信プレビューモード処理について図７を参照して具体的に説明する。図７は、図５に示すＦＡＸ送信プレビューモード設定処理を示すフロー図である。
ＦＡＸ送信プレビューモード設定処理は、Ｓ４０１において、ＦＡＸ送信プレビューモードを設定変更する指示が入力されたか否かを判断する。例えば、ユーザが切替キー２５を操作してＦＡＸモードに切り替えると、ＦＡＸ送信のメニューに設定項目「ＦＡＸ送信プレビューモードの設定変更」が表示される。ユーザがナビゲーションキー２６を操作して設定項目「ＦＡＸ送信プレビューモードの設定変更」を選択せず、ＦＡＸ送信プレビューモード設定変更指示を入力しない場合には（Ｓ４０１：Ｎｏ）、現在のモード設定を変更する必要がないので、そのまま図５のＳ４に戻る。
【００５４】
一方、ユーザがナビゲーションキー２６を操作して設定項目「ＦＡＸ送信プレビューモードの設定変更」を選択し、ＦＡＸ送信プレビューモード設定変更指示を入力した場合には（Ｓ４０１：Ｙｅｓ）、Ｓ４０２において、ＥＥＰＲＯＭ３４のモード設定記憶手段４３に記憶されているモードをＲＡＭ３３に一時的に記憶する。そして、Ｓ４０３において、ＲＡＭ３３に記憶したモードが第１モードであるか第２モードであるかを判断する。現在設定されているモードによって液晶ディスプレイ３０に表示する内容が異なるからである。
【００５５】
ＲＡＭ３３に記憶したモードが第１モードであると判断した場合には（Ｓ４０３：第１モード）、例えば、第１モードと第２モードを並べて液晶ディスプレイ３０に表示し、第１モードの位置にカーソルを表示することにより、現在のモード設定が第１モードであることをユーザに知らせる。この場合、Ｓ４０４において、ユーザがナビゲーションキー２６を操作してモード設定を変更したか否かを判断する。
【００５６】
例えば、ユーザがナビゲーションキー２６を操作して液晶ディスプレイ３０に表示されるカーソルの位置を第１モードから第２モードに移動させると（Ｓ４０４：Ｙｅｓ）、Ｓ４０５において、ＲＡＭ３３に記憶した第１モードを第２モードに書き換えた後、Ｓ４０９へ進む。
【００５７】
一方、ユーザがナビゲーションキー２６を操作しない場合には（Ｓ４０４：Ｎｏ）、Ｓ４０６において、キャンセルキー２８が押下されたか否かを判断する。キャンセルキー２８が押下され、ＦＡＸ送信プレビューモードの設定変更処理が中止された場合には（Ｓ４０６：Ｙｅｓ）、モード変更する意志がユーザにないと考えられるので、そのまま図５のＳ４に戻る。
【００５８】
しかし、ユーザがキャンセルキー２８を押下せず、ＦＡＸ送信プレビューモードの設定変更処理が継続される場合には（Ｓ４０６：Ｎｏ）、モード変更の意志がユーザにあると考えられるので、Ｓ４０７において、ＯＫキー２７が押下されたか否かを判断する。ＯＫキー２７が押下されない場合には（Ｓ４０７：Ｎｏ）、ユーザがモード変更する可能性が残っているので、Ｓ４０４に戻って処理を繰り返す。
【００５９】
一方、ＯＫキー２７が押下された場合には（Ｓ４０７：Ｙｅｓ）、ユーザがＦＡＸ送信プレビューモードを第１モードに設定することを意図しているので、Ｓ４０８において、モード設定記憶手段４３のモード設定を第１モードに書き換える。その後、図５のＳ４に戻る。
【００６０】
これに対して、Ｓ４０３において、ＲＡＭ３３に記憶したモードが第２モードであると判断した場合には（Ｓ４０３：第２モード）、現在のＦＡＸ送信プレビューモードの設定が第２モードであることを液晶ディスプレイ３０に表示し、Ｓ４０９において、ナビゲーションキー２６が操作されたか否かを判断する。ナビゲーションキー２６を操作して液晶ディスプレイ３０上でモード設定を第１モードに切り替えた場合には（Ｓ４０９：Ｙｅｓ）、Ｓ４１０において、ＲＡＭ３３に記憶した第２モードを第１モードに書き換え、Ｓ４０４へ進む。Ｓ４０４以降の処理は上述したので説明を割愛する。
【００６１】
一方、ユーザがナビゲーションキー２６を操作しない場合には（Ｓ４０９：Ｎｏ）、Ｓ４１１へ進み、モード設定の変更を継続するかをユーザに確認する。そして、継続する場合には（Ｓ４１１：Ｙｅｓ）、Ｓ４１２において、モード設定を第２モードに確定するかユーザに確認する。ユーザがモード設定を第２モードに確定するようにＯＫキー２７を押下すると（Ｓ４１２：Ｙｅｓ）、Ｓ４０８において、モード設定記憶手段４３のモード設定を第２モードに書き換える。その後、図５のＳ４に戻る。
尚、本実施形態では図５のＳ４及び図７に示す処理が「選択手段」に相当する。
【００６２】
このようにして図５のＳ４に示す処理が終了すると、図５のＳ５において、ユーザがスタートキー２９を押下して、ＦＡＸ送信開始指示を入力したか否かを判断する。ユーザがスタートキー２９を押下せず、ＦＡＸ送信開始指示が入力されない場合には（Ｓ５：Ｎｏ）、Ｓ３に戻って待機する。一方、ユーザがスタートキー２９を押下し、ＦＡＸ送信開始指示が入力された場合には（Ｓ５：Ｙｅｓ）、Ｓ６へ進み、原稿を読み取ってＦＡＸ送信する動作に移る。
【００６３】
よって、上述したＳ３〜Ｓ５の処理は、ＦＡＸ送信のために読み取った原稿をＦＡＸ送信前に液晶ディスプレイ３０にプレビュー表示して確認するか否か、またプレビュー表示するなら第１モードと第２モードとの何れの方法で実行するのかについて、複合機１の待機中にユーザが自由に設定できるようにするために行う。言い換えれば、ＦＡＸ送信する者は、ＦＡＸ送信時に読み取り原稿のプレビュー表示を任意に設定することができる。
【００６４】
図５のＳ６において、ＯＮ／ＯＦＦ設定記憶手段４２の設定がＯＮ設定であるかＯＦＦ設定であるかを判断する。ＯＦＦ設定である場合には（Ｓ６：ＯＦＦ）、読み取った原稿をプレビュー表示する必要がないので、Ｓ７とＳ８の処理において全ての原稿を読み取った後、Ｓ１７へ進み、読込済みのデータをＦＡＸ送信する。その後、Ｓ３へ戻って待機状態になる。
【００６５】
これに対して、ＯＮ／ＯＦＦ設定記憶手段４２の設定がＯＮ設定である場合には（Ｓ６：ＯＮ）、Ｓ９において、モード設定記憶手段４３の設定が第１モードと第２モードの何れであるかを判断する。
【００６６】
＜第１モードを選択した場合の画像表示処理動作＞
第１モードに設定されている場合には（Ｓ９：第１モード）、全ての原稿を読み取った後に、読み取った画像を１つずつユーザに確認させる。
【００６７】
Ｓ１０において、原稿を１ページ読み込み、読み込んだ画像データをＲＡＭ３３に記憶する。そして、Ｓ１１において、次ページがあるか否かを判断する。次ページがある場合には（Ｓ１１：Ｙｅｓ）、Ｓ１０に戻って次のページの原稿を読み込む。次ページがない場合には（Ｓ１１：Ｎｏ）、Ｓ１２へ進む。つまり、Ｓ１０、Ｓ１１により全ての原稿が読み取られる。この意味でＳ１０，Ｓ１１の処理が「読込手段」に相当する。
【００６８】
原稿読込方法としては、例えばＡＤＦ機構２１を用いる方法がある。具体的には、ユーザが原稿給紙トレイ２１に１０枚の原稿を揃えてセットし、スタートキー２９を押下すると、ＡＤＦ機構２１が最上面の原稿から１枚ずつプラテンガラス１８へ自動で送り出す。スキャナ部１９は、原稿が送り出されるタイミングに合わせて原稿を読み込む。複合機１は、原稿給紙トレイ２１に原稿がなくなると、次ページがないと判断する。
また原稿読込方法の別例として、例えば手動で原稿を読み取る方法がある。具体的には、ユーザが原稿カバー２０を開いてプラテンガラス１８に原稿を１枚載置した後、原稿カバー２０を閉じてスタートキー２９を押下することにより原稿読込開始指示を複合機１に与える。すると、スキャナ部１９が作動してプラテンガラス１８に置かれた原稿の画像を１枚分読み込む。そして、ユーザは、原稿２０を開いて１ページ目の原稿を２ページ目の原稿に交換し、再び原稿カバー２０を閉じてスタートキー２９を押下する。すると、スキャナ部１９が２ページ目の原稿を読み込む。この手順を繰り返して１０ページ分の原稿を読み込み終わったときに、ユーザがＯＫキー２７を押下すると、複合機１は次ページがないと判断する。
【００６９】
このようにして全ての原稿の読み込みが完了したら（Ｓ１１：Ｎｏ）、Ｓ１２において、読み取った原稿のうち１ページ目の原稿にかかる画像データを液晶ディスプレイ３０に表示する。そして、Ｓ１３において、「読取り画像はＯＫか？」との確認メッセージを液晶ディスプレイ３０に表示する。そして、Ｓ１４において、ＯＫキー２７又はキャンセルキー２８が押下されたか否かを判断する。Ｓ１３、Ｓ１４の処理は、原稿の読取り状態を１ページずつ液晶ディスプレイ３０に表示してユーザに確認させるために行う。この意味で、Ｓ１３の処理が「第１表示制御手段」及び「表示手段」に相当する。
【００７０】
この場合に、例えば、液晶ディスプレイ３０に表示される原稿の順番が間違っていたときには、ユーザはキャンセルキー２８を押下する（Ｓ１４：Ｃａｎｃｅｌキー）。すると、複合機１は、原稿の読取り不良を認識し、Ｓ１６において、Ｓ１０とＳ１１の処理で読み込んだ全ての画像データを消去する。その後、Ｓ３へ戻って待機状態になる。
【００７１】
一方、ユーザは、液晶ディスプレイ３０に表示される画像を見て原稿が適切に読み込まれたことを確認したときには、ＯＫキー２７を押下する（Ｓ１４：ＯＫキー）。すると、複合機１は、Ｓ１５へ進み、Ｓ１０とＳ１１の処理で読み込んだ画像を全頁表示したか否かを判断する。全頁表示していないと判断した場合には（Ｓ１５：Ｎｏ）、Ｓ１２に戻り、次ページの原稿にかかる画像データを液晶ディスプレイ３０に表示し、読取り状態の確認をユーザに促す。Ｓ１２以降の処理は上述の通りであるので説明を割愛する。
【００７２】
しかし、全頁表示したと判断した場合には（Ｓ１５：Ｙｅｓ）、Ｓ１７において、全ての原稿の読取り状態が良好である確認をユーザがしているので、読み込んだ原稿をファクシミリ装置５宛にＦＡＸ送信する。その後、Ｓ３に戻って待機状態になる。
【００７３】
よって、Ｓ１４〜Ｓ１５の処理は、原稿の読取り状態をユーザに確認させ、読み取った原稿をＦＡＸ送信するか否かの判断をユーザに仰ぐために行われる。特に、Ｓ１４、Ｓ１５の処理は、ユーザが全ての原稿について読取り状態が良好であれば次ページ原稿の画像データを表示させる点で、「表示指示手段」又は「確認手段」に相当する。また、Ｓ１４、Ｓ１６の処理は、１枚でも読み取り不良の原稿があれば、読み取った原稿の画像データを全て破棄する点で、「破棄手段」に相当する。また更に、Ｓ１５、Ｓ１７の処理は、全ての原稿の読取り状態が良好であることが確認されると、読み込んだ原稿をＦＡＸ送信する点で、「送信制御手段」に相当する。
【００７４】
＜第２モードを選択した場合の画像表示動作＞
これに対して、モード設定記憶手段４３の設定が第２モードであると判断した場合には（Ｓ９：第２モード）、原稿を１枚読み取る毎に読み取った原稿を液晶ディスプレイ３０に表示して、読取り状態をユーザに確認させる。
【００７５】
すなわち先ずＳ１８において、原稿を１ページ読み込み、読み込んだ画像データをＲＡＭ３３に記憶する。そして、Ｓ１９において、Ｓ１８で読み取った１ページ分の原稿画像を液晶ディスプレイ３０に表示する。そして、Ｓ２０において、「読み取り画像は、ＯＫか？」との確認メッセージを液晶ディスプレイ３０に表示する。そして、Ｓ２１において、ＯＫキー２７又はキャンセルキー２８が押下されたか否かを判断する。Ｓ１９〜Ｓ２１の処理は、原稿の読取り状態をユーザに確認させるために行う。キャンセルキー２８が押下されたと判断した場合には（Ｓ２１：Ｃａｎｃｅｌキー）、Ｓ１６へ進み、それまで読み込んだ原稿の画像データを消去する。そして、Ｓ３に戻って待機状態になる。
【００７６】
しかし、ＯＫキー２７が押下されたと判断した場合には（Ｓ２１：ＯＫキー）、Ｓ２２において、次ページはあるか否かを判断する。次ページがあると判断した場合には（Ｓ２２：Ｙｅｓ）、Ｓ１８へ戻り、次ページの原稿読み込みを促す。次ページがないと判断した場合には（Ｓ２２：Ｎｏ）、Ｓ１７において、原稿読み込み済みの画像データをファクシミリ装置５宛に送信する。つまり、全ての原稿の読取り状態が良好であることを確認すると、原稿をＦＡＸ送信する。その後、Ｓ３に戻って待機状態になる。
【００７７】
よって、第２モードが選択された状態で、例えばＡＤＦ機構２１を利用して原稿を自動で読み取る場合には、原稿給紙トレイ２２からプラテンガラス１８に原稿を１枚送り出した後にＡＤＦ機構２１を一時停止させ、スキャナ部１９が読み取った原稿の画像をユーザが確認してＯＫキー２７を押下してから、ＡＤＦ機構２１の一時停止を解除して次の原稿をプラテンガラス１８へ送り出すようにする。原稿給紙トレイ２２にセットされた原稿をＡＤＦ機構２１が全て送り出す前に、ユーザがキャンセルキー２８を押下した場合には、それまで読み込んだ原稿の画像データを消去した後、待機状態に戻る。しかし、原稿給紙トレイ２２の原稿を全て読み込終わり、最後の原稿の読取り画像についてユーザがＯＫキー２７を押下すると、読み取った原稿をＦＡＸ送信する。
【００７８】
一方、第２モードが選択された状態で、例えばユーザが手動で原稿を読み取る場合には、ユーザがスタートキー２９を押下して原稿を読み取ると、読み取った原稿の画像が液晶ディスプレイ３０に表示される。ユーザが液晶ディスプレイ３０の画像を見てキャンセルキー２８を押下した場合には、それまで読み込んだ原稿の画像を全て消去した後、待機状態に戻る。しかし、ＯＫキー２７を押下しながら最後まで原稿を読み込むと、読み込んだ原稿をＦＡＸ送信する。
【００７９】
尚、本実施形態における第２モードの場合、Ｓ１９の処理が「第２表示制御手段」又は「表示制御手段」に相当する。また、Ｓ１９〜Ｓ２１の処理が「確認手段」に相当する。また、Ｓ２１、Ｓ１６の処理が「破棄手段」に相当する。更に、Ｓ２２とＳ１７の処理が「送信制御手段」に相当する。
【００８０】
＜作用効果＞
従って、本実施形態の複合機１は、ユーザがＡＤＦ機構２１にセットした原稿又はユーザが手動でプラテンガラス１８に載置して読み取らせる原稿の全てを原稿読取ユニット１２が読み込んだ後に、読み込んだ原稿の画像データを液晶ディスプレイ３０に１ページずつ表示させる第１モードと、ＡＤＦ機構２１によって自動で又はユーザの手作業による手動で原稿をプラテンガラス１８に１枚載置し、その１枚の原稿を画像読取ユニット１２が読み込む毎に、読み込んだ原稿の画像データを液晶ディスプレイ３０に表示させる第２モードとを選択可能にしている（図５のＳ４及び図７参照）。そのため、第１モードと第２モードを切り替えるだけで原稿の画像データを液晶ディスプレイ３０に表示する方法を変更することができ、ユーザの使い勝手を向上させることができる。
【００８１】
具体的には、原稿を直ぐに取り戻したい場合や、ＦＡＸ送信する画像をひとまとめに連続して確認したい場合には、ユーザは第１モードを選択する。この場合、原稿を全て読み込んだ後に、１枚ずつ原稿の画像データを確認するので、１０枚の原稿を直ぐに取り戻すことができる。また、原稿を１枚読み込んでその画像データを確認してから次ぎの原稿を読み込むという手間がかからない。
【００８２】
これに対して、例えば、ＦＡＸ送信する原稿の枚数が多く、ページ順序の間違いやページ漏れ等の原稿読取り不良を早期に発見したい場合には、ユーザは第２モードを選択する。この場合、原稿を読み取る毎に読取り状態を確認するので、読取り不良を確認した時点で原稿の読み込みを中止し、やり直すことができる。そのため、原稿の無駄な読み取り時間や読取り不良に早期に対応することができる。
【００８３】
上記のように、ユーザは、プレビューモードの使用目的などに合わせて第１モードと第２モードを適宜使い分けることができ、使い勝手が良い。これに加えて、画像データを確認するスピードは人によって異なる。しかし、本実施形態の複合機１であれば、ユーザがＯＫキー２７を押下するタイミングに合わせて画像を順次切り替えるので（図５のＳ１４：ＯＫキー、Ｓ２１：ＯＫキー参照）、例えば、原稿の読み込みスピードに合わせて原稿の画像データを表示する場合と比べて、読取り状態の確認ミスを減らしたり、ユーザの負担を減らすことができる。
【００８４】
また、本実施形態の複合機１によれば、第１モードが選択されたときには（図５のＳ９：第１モード参照）、ユーザが原稿の読取り状態を確認してＯＫキー２７を押下すると、次ページ原稿の画像データが液晶ディスプレイに自動的に表示されるので（図５のＳ１４：ＯＫキー、Ｓ１５：ＮＯ、Ｓ１２参照）、原稿を１枚読み込む毎にその原稿の画像データを液晶ディスプレイ３０に表示させるための操作をする場合と比べて、操作性を向上させることができる。
【００８５】
また、本実施形態の複合機１によれば、第２モードが選択されたときには（図５のＳ９：第２モード参照）、画像読取ユニット１２が原稿を１枚読み込む毎に、読み込んだ原稿に対応する画像データを液晶ディスプレイ３０に表示させるので（図５のＳ１８、Ｓ１９参照）、原稿枚数が多い場合でも、ユーザが原稿の読み込み状況を１枚ずつ確実に確認することができる。
【００８６】
また、本実施形態の複合機１は、液晶ディスプレイ３０が表示する原稿の画像データが不適切であることをユーザが確認し、キャンセルキー２８を押下したときに、不適切と確認された画像データを含め、読み込んだ全ての原稿の画像データを破棄する（図５のＳ１４：Ｃａｎｃｅｌキー、Ｓ２１：Ｃａｎｃｅｌキー、Ｓ１６参照）。そのため、本実施形態の複合機１によれば、適切に読み込んだ原稿の画像データのみを残し、良好な読み込み品質を確保することができる。
【００８７】
また、本実施形態の複合機１は、例えばＦＡＸ送信するときに、読み取った全ての原稿について読取り状態が適切であることをユーザがＯＫキー２７を押下して確認した場合に限って、外部のファクシミリ装置５に原稿の画像データをＦＡＸ送信する（図５のＳ１４：ＯＫキー、Ｓ１５：Ｙｅｓ、Ｓ１７、Ｓ２１：ＯＫキー、Ｓ２２：ＮＯ、Ｓ１７参照）。ＦＡＸは、本来、相手方に受信されなければ読取り状態が分からない。しかし、本実施形態のように、ＦＡＸ送信前に原稿の読取り状態をユーザが良好であると確認した場合のみＦＡＸ送信するようにすれば、相手方にも良好な状態でデータ受信される。よって、本実施形態の複合機１によれば、原稿の送信ミスを低減することができる。
【００８８】
また、本実施形態の画像データ表示プログラム４１は、原稿を全て読み込んだ後に画像データを液晶ディスプレイ３０に表示させる第１モードと、原稿を１枚読み込む毎に画像データを液晶ディスプレイ３０に表示させる第２モードとをユーザに選択させ、ユーザが選択したモードに従って液晶ディスプレイ３０に画像データを表示させるように複合機１を機能させる（図５のＳ９：第１モード、Ｓ１０〜Ｓ１２、Ｓ９：第２モード、Ｓ１８〜Ｓ１９参照）。そのため、本実施形態の画像データ表示プログラム４１は、第１モードと第２モードとを切り替えるだけで複合機１の液晶ディスプレイ３０に表示させる画像データの表示方法を変更することができ、ユーザの使い勝手を向上させることができる。
【００８９】
また、本実施形態の画像データ表示プログラム４１によれば、第２モードを選択したときに、画像読取ユニット１２が原稿を１枚読み込む毎に読み込んだ原稿に対応する画像データを液晶ディスプレイ３０に表示させるように複合機１を機能させるので（図５のＳ１８，Ｓ１９参照）、複合機１に読み取らせる原稿枚数が多い場合でも、ユーザが原稿の読み込み状況を１枚ずつ確実に確認することができる。
【００９０】
（第２実施形態）
続いて、本発明の画像読込装置及び画像データ表示プログラムの第２実施形態について図面を参照して説明する。
第２実施形態の画像読込装置１Ａ及び画像データ表示プログラム４１Ａは、原稿を１枚ずつ読み取る毎に読み取った原稿の画像を液晶ディスプレイ３０に表示し、読取り不良があるときにはその場で原稿の再読込みをして読み込んだ原稿を差し替える点で、読取り不良が生じたときに全てのデータを消去する第１実施形態と相違する。よって、ここでは、第１実施形態と相違する点を中心に説明し、共通する点については図面及び説明に同一符号を用い、説明を適宜省略する。
【００９１】
図８は、第２実施形態に係る複合機１Ａが使用する画像データ表示プログラム４１Ａのフロー図である。
画像データ表示プログラム４１Ａは、１枚ずつ原稿を読み取る度に読み取った画像データを表示するため、予め第２モードを選択して作成されている。よって、画像データ表示プログラム４１Ａは、第１実施形態のようにモード設定記憶手段４３の設定確認（図５のＳ２）や、ＦＡＸ送信プレビューモード設定処理（図５のＳ４）を行わず、ＦＡＸ送信プレビュー表示のＯＮ／ＯＦＦ設定のみを監視して待機している（図８のＳ１、Ｓ３参照）。
【００９２】
ＦＡＸ送信開始指示が与えられると（Ｓ５：Ｙｅｓ）、Ｓ１００１において、原稿の読み取り枚数をカウントするページカウンタPAGEにゼロを代入する。そして、ＦＡＸ送信プレビュー表示がＯＮ設定されているときには（Ｓ６：ＯＮ）、Ｓ１００２において、ページカウンタPAGEに１を追加し、１枚目の原稿を読み込むことを確認する。そして、Ｓ１８〜Ｓ２０において、原稿を１ページ読み込み、読み取った原稿の画像データを液晶ディスプレイ３０にプレビュー表示してユーザの確認を促す。そして、Ｓ２１、２２において、プレビュー表示した原稿の読取り状態が適切であるとユーザが判断したときに、次ページの原稿があれば、Ｓ１００２に戻ってページカウンタPAGEに１を追加して、２ページ目の原稿を読み取ることを確認する。Ｓ１００２及びＳ１８〜Ｓ２２の処理を繰り返してＦＡＸ送信する原稿を読み取っていく。
【００９３】
この原稿読み取り作業中に、例えば、原稿の順番が間違っていたり、原稿が斜行してしまうなどの不具合が生じうる。このような不具合をユーザが液晶ディスプレイ３０で確認した場合には、読取り不良確認時点でキャンセルキー２８を押下する（Ｓ２１：Ｃａｎｃｅｌキー）。すると、複合機１は、Ｓ１００３において、「ＮＧ原稿を再セットして下さい。」との案内メッセージを液晶ディスプレイ３０に表示し、Ｓ１００４において、ユーザのキー入力を待つ。原稿を再読込みするか否かの判断をユーザに仰ぐためである。
【００９４】
ユーザが原稿を再読込みする場合には、読取り不良を生じた原稿を原稿給紙トレイ２２に戻したり、プラテンガラス１８に載置し直してから、ＯＫキー２７を押下する（Ｓ１００４：ＯＫキー）。すると、Ｓ１００５において、先に読み取った原稿データを消去した後、Ｓ１８に戻る。そして、Ｓ１８以降の処理で、読取り不良を生じた原稿を再読込みする。再読込みした原稿についても、Ｓ１９，Ｓ２０，Ｓ２１に示すように読取り状態をユーザに確認させる。
【００９５】
再読込みした原稿の読取り状態が良ければ（Ｓ２１：ＯＫキー）、Ｓ２２へ進み、次ページの処理に移る。しかし、再読込みした原稿の読み取り状態が悪ければ（Ｓ２１：Ｃａｎｃｅｌキー）、Ｓ１００３へ進み、再々読込みを促す。ユーザが原稿をセットし直せば、Ｓ１００５以降の処理を再度行う。よって、ユーザは、原稿の再読込みを何度でも行うことができる。
【００９６】
一方、ユーザがキャンセルキー２８を押下し、原稿読み込みを中止した場合には、Ｓ１６において、それまでに読み込んだ原稿の全ての画像画像データを消去し、Ｓ３に戻って待機する。
【００９７】
尚、本実施形態では、Ｓ２１の処理が「確認手段」に相当する。また、Ｓ１００５の処理が「破棄手段」に相当する。
【００９８】
＜作用効果＞
よって、本実施形態の複合機１Ａによれば、第２モードを選択し、原稿を１ページ読み込む毎にその読取り状態を確認するが、読取り不良が生じたときには、読取り不良を生じた原稿だけを再読込みする（Ｓ１００２、Ｓ１８、Ｓ１９、Ｓ２０、Ｓ２１：Ｃａｎｃｅｌキー、Ｓ１００３、Ｓ１００４、Ｓ１００５、Ｓ１８参照）。よって、読取り不良が生じたときにその場で原稿を再読込みすることができ、作業性が良い。
【００９９】
（第３実施形態）
続いて、本発明の画像読込装置及び画像データ表示プログラムの第３実施形態について図面を参照して説明する。
第３実施形態の画像読込装置１Ｂ及び画像データ表示プログラム４１Ｂは、読取り不良を生じた原稿の画像データを再読込みした原稿の画像データを置き換える点で、読取り不良が生じたときに全ての画像データを消去して再読込みさせる第１実施形態と相違する。よって、ここでは、第１実施形態と相違する点を中心に説明し、共通する点については図面及び説明に同一符号を用い、説明を適宜省略する。
【０１００】
＜複合機の電気制御構成＞
図９は、複合機１Ｂの電気ブロック図である。
複合機１Ｂは、ＲＡＭ３３にＮＧページメモリ４４が設けられている。ＮＧページメモリ４４は、複数のアドレスが設けられ、読取り不良を生じた原稿のページ数が各アドレスに記憶される。アドレスは、少なくとも複合機１の処理可能枚数に対応していることが望ましく、本実施形態では、０〜９９のアドレスを設けて原稿１００枚分に対応できるようにしている。
【０１０１】
＜ＦＡＸ送信動作＞
図１０は、図９に示す画像データ表示プログラム４１Ｂのフロー図である。
画像データ表示プログラム４１Ｂは、ＦＡＸ送信開始指示を入力すると（Ｓ５：Ｙｅｓ）、Ｓ２００１において、読み取った原稿のページ数をカウントするページカウンタPAGEと、ＮＧページメモリのアドレスをカウントするＮＧページカウンタNG_PAGEと、液晶ディスプレイ３０に表示した画像のページ数をカウントするＤＩＳＰページカウンタDISP_PAGEとにゼロを代入する。この処理により、原稿を１枚も読み込んでいない状態、読込み不良を生じた原稿の枚数をカウントしていない状態、読み込んだ原稿の画像を１ページ分もプレビュー表示していない状態を確認する。
【０１０２】
そして、Ｓ２００２において、ＮＧページメモリ４４に設けた各アドレス（０〜９９）にゼロを記憶させる。この処理により、読取り不良を生じた原稿に関するデータがＮＧページメモリ４４に何も記憶されていない状態にする。
【０１０３】
＜第１モードを選択した場合の画像表示動作＞
ＯＮ／ＯＦＦ設定記憶手段４２の設定がＯＮ設定であり（Ｓ６：ＯＮ）、モード設定記憶手段４３のモードが第１モードである場合には（Ｓ９：第１モード）、全ての原稿を読み取った後に、読み取った原稿の画像データを１ページ分ずつ液晶ディスプレイ３０に表示し、読取り不良を生じた原稿があるときにはその原稿を特定して記憶する。
【０１０４】
すなわち先ず、Ｓ２００３において、ページカウンタPAGEに１を加算し、１枚目の原稿を読み取ることを確認する。そして、Ｓ１０において１ページ目の原稿を読み取り、Ｓ１１において次ページ目の原稿があるか否かを判断する。次ページがある場合には、Ｓ２００３に戻って、ページカウンタＰＡＧＥに１を追加し、２ページ目の原稿を読み取ることを確認する。このようにしてＳ２００３、Ｓ１０、Ｓ１１の処理を繰り返し、原稿の読み込み枚数を確認しながら全ての原稿を読み込む。
【０１０５】
全ての原稿を読み込んだら（Ｓ１１：Ｎｏ）、Ｓ２００４において、ＤＩＳＰページカウンタDISP_PAGEに１を追加し、読み取った原稿のうち１ページ目を液晶ディスプレイ３０に表示することを確認する。
【０１０６】
そして、Ｓ２００５において、ＤＩＳＰカウンタDISP_PAGEが示すページに対応する原稿の画像データを液晶ディスプレイ３０にプレビュー表示する。そして、Ｓ１３において、「読取り画像はＯＫか？」との確認メッセージを液晶ディスプレイ３０に表示し、読取り状態の可否判断をユーザに促す。ＯＫキー２７が押下されたと判断した場合には（Ｓ１４：ＯＫキー）、読み取った原稿の読取り状態が適切であるとユーザが判断しているので、そのままＳ２００８へ進む。
【０１０７】
しかし、読み込んだ原稿が斜行する場合や表裏が逆の原稿を含む場合など読取り不良を生じた原稿がある場合には、読取り不良を生じた原稿の画像データを液晶ディスプレイ３０に表示させた状態でユーザはキャンセルキー２８を押下する（Ｓ１４：Ｃａｎｃｅｌキー）。この場合には、Ｓ２００６において、ＤＩＳＰカウンタDISP_PAGEが示すページ数をＮＧページカウンタNG_PAGEが示すＮＧページメモリ４４のアドレスに記憶する。この時点では、ＮＧページメモリのアドレス［０］、すなわち最初の領域に読取り不良を生じた原稿のページ数（例えば、１ページ）が記憶される。それから、Ｓ２００７において、ＮＧページカウンタNG_PAGEに１を追加し、Ｓ２００８へ進む。
【０１０８】
そして、Ｓ２００８において、ＤＩＳＰカウンタDISP_PAGEが示すページ数とページカウンタPAGEが示すページ数が一致するか否かを判断する。つまり、読み込んだ全ての原稿について液晶ディスプレイ３０に画像表示したか否かを判断する。全ページの原稿を画像表示していないと判断した場合には（Ｓ２００８：Ｎｏ）、Ｓ２００４に戻り、次ページ原稿の画像データを液晶ディスプレイ３０に表示する準備をする。一方、全ページの原稿を画像表示したと判断した場合には（Ｓ２００８：Ｙｅｓ）、図１１のＳ２０１２へ進む。
【０１０９】
＜第２モードを選択した場合の画像表示動作＞
これに対して、Ｓ９において、モード設定記憶手段４３の設定が第２モードであると判断した場合には（Ｓ９：第２モード）、原稿を読み取る毎に読み取った原稿の画像データを液晶ディスプレイ３０に表示し、読取り不良を生じた原稿があるときにはその原稿を特定して記憶する。
【０１１０】
すなわち先ず、Ｓ２００９において、ページカウンタPAGEに１を追加した後、Ｓ１８に進む。そして、Ｓ１８〜Ｓ２１の処理により、原稿を１枚読み取る毎に読み取った画像を液晶ディスプレイ３０に表示し、読取り状態の可否をユーザに確認させる。
【０１１１】
原稿の読取り状態が良好であり、ユーザがＯＫキー２７を押下した場合には（Ｓ２１：ＯＫキー）、そのままＳ２２へ進む。
【０１１２】
しかし、原稿の読取り状態が不良であり、ユーザがキャンセルキー２８を押下した場合には（Ｓ２１：Ｃａｎｃｅｌキー）、Ｓ２０１０において、ページカウンタPAGEが示すページ数を、ＮＧページカウンタNG_PAGEが示すＮＧページメモリ４４のアドレスに記憶する。これにより、読取り不良を生じた原稿のページ数が特定される。それから、Ｓ２０１１において、ＮＧページカウンタNG_PAGEに１を追加し、Ｓ２２へ進む。
【０１１３】
そして、Ｓ２２において、次ページがあると判断した場合には（Ｓ２２：Ｙｅｓ）、Ｓ２００９に戻って、次ページ原稿を読み込む準備をする。一方、次ページがないと判断した場合には（Ｓ２２：Ｎｏ）、図１１のＳ２０１２へ進む。
【０１１４】
＜原稿の再読込動作＞
図１１は、図１０に示すフローのサブフローである。
図１１のＳ２０１２においては、ＮＧページメモリ４４のアドレスを示す変数ｉにゼロを代入する。変数ｉは、ＮＧページメモリ４４に記憶されるデータを配列順にサーチするために用いられる。変数ｉにゼロを置いておくことにより、ＮＧページメモリ４４を最初の領域からサーチできるようになる。
【０１１５】
そして、Ｓ２０１３において、ＮＧページメモリ４４の最初の領域からｉ番目のアドレスに格納されているページ数を取得し、取得したページ数を特定して原稿をセットする案内メッセージを液晶ディスプレイ３０に表示する。例えば、ＮＧページメモリ４４のアドレス［０］にページ数「５」が記憶されているときには、５ページ目の原稿に読取り不良があったことを意味するので、「５ページ目の原稿をセットしてください。」との案内メッセージを液晶ディスプレイ３０に表示する。
【０１１６】
そして、Ｓ２０１４において、スタートキー２９が押下されたか否かを判断する。ユーザが原稿をセットし直したか否かを確認するためである。スタートキー２９が押下されない場合には（Ｓ２０１４：Ｎｏ）、Ｓ２０１３に戻り、スタートキー２９が押下されるまで待機する。
【０１１７】
一方、ユーザがＡＤＦ機構２１に読取り不良の原稿を戻したり、或いは、読取り不良を生じた原稿をプラテンガラス１８に置き直すなどして、読取り不良を生じた原稿をセットし直し、スタートキー２９を押下した場合には（Ｓ２０１４：Ｙｅｓ）、Ｓ２０１５において、原稿を１ページ読み込む。そして、Ｓ２０１６において、読取った原稿の画像データを液晶ディスプレイ３０にプレビュー表示する。そして、Ｓ２０１７において、「読取り画像はＯＫか？」との確認メッセージを液晶ディスプレイ３０に表示する。そして、Ｓ２０１８において、ＯＫキー２７又はキャンセルキー２８が押下されたか否かを判断する。このＳ２０１５〜Ｓ２０１８の処理により、読取り不良を生じた原稿を再読込みし、再読込みした原稿の画像データをユーザが液晶ディスプレイ３０で確認できるようになる。
【０１１８】
この場合に、ユーザがキャンセルキー２８を押下した場合には（Ｓ２０１８：Ｃａｎｃｅｌキー）、ユーザが原稿を再読込みしてまで原稿の読み込みを継続する意志がないと考えられるので、Ｓ１６へ進み、それまでに読み込んだ原稿の画像データを全て消去する。そして、図１０のＳ３に戻り、待機状態になる。
【０１１９】
しかし、ユーザがＯＫキー２７を押下した場合には（Ｓ２０１８：ＯＫキー）、ユーザが読取り不良の原稿を再読込みして原稿の読み込みを継続する意志があると考えられるので、Ｓ２０１９において、ＮＧページメモリ４４のｉ番目のアドレスに記憶されるページ数に対応する原稿の画像データを、Ｓ２０１５で再読込みした画像データに入れ替える。そして、Ｓ２０２０において、ｉに１を追加し、ＮＧページメモリ４４の次の領域に記憶されるデータを探索する準備をしておく。そして、Ｓ２０２１において、Ｓ２０２０で設定された変数ｉと、ＮＧページカウンタNG_PAGEが示すアドレスとが一致するか否かを判断する。つまり、Ｓ２０２０とＳ２０２１の処理により、ＮＧページメモリ４４に探索すべきページが残っているか否かを判断する。
【０１２０】
Ｓ２０２１において、Ｓ２０２０で設定された変数ｉと、ＮＧページカウンタNG_PAGEが示すアドレスとが一致しないと判断した場合には（Ｓ２０２１：Ｎｏ）、Ｓ２０１３に戻り、読取り不良を生じた次の原稿を再読込みする準備をする。
一方、Ｓ２０２１において、Ｓ２０２０で設定された変数ｉと、ＮＧページカウンタNG_PAGEが示すアドレスとが一致すると判断した場合には（Ｓ２０２１：Ｙｅｓ）、Ｓ１７へ進み、読み取った原稿をＦＡＸ送信する。その後、図１０のＳ３へ戻り、待機状態になる。
【０１２１】
尚、上記第３実施形態では、読み込んだ原稿のデータ及び再読込みした原稿のデータはＲＡＭ３３に記憶される。そのため、ＲＡＭ３３が「第１記憶手段」と「第２記憶手段」に相当する。そして、図１１のＳ２０１９が「置換手段」に相当する。また、ＮＧページメモリ４４が「識別手段」に相当する。更に、図１１のＳ２０１３が「指定表示手段」に相当する。
【０１２２】
＜作用効果＞
従って、本実施形態の複合機１Ｂは、読取り不良が生じたときに、読取り不良が生じた原稿のページ数を記憶しておき（図１０のＳ２００６，２００７、Ｓ２０２０、Ｓ２０１１参照）、原稿読み取り後に、読取り不良を生じた原稿のページ数を液晶ディスプレイ３０に表示する（図１１のＳ２０１３参照）。ユーザが液晶ディスプレイ３０に表示されるページの原稿をセットし直して原稿を再読込みすると、再読込みした原稿の画像データが、先に読み込んだ原稿の画像データと置き換えられる（図１１のＳ２０１９参照）。よって、本実施形態の複合機１Ｂによれば、読み込みが良好に行われた画像データのみを効率良くＲＡＭ３３に蓄積することができる。また、原稿読み取り後に再読込操作をまとめて行うので、作業性が良い。
【０１２３】
また、本実施形態の複合機１Ｂは、ＮＧページメモリ４４のアドレスに記憶されるページ数から、読み込んだ原稿の中でどのページが読取り不良を生じた原稿であるか特定することが可能である。そのため、原稿の再読込み時には、ＮＧページメモリ４４が記憶するページ数に従って、再読込みする原稿を指定した確認メッセージを液晶ディスプレイ３０に表示する。よって、本実施形態の複合機１によれば、ユーザは、原稿読み取り後に再読込操作をまとめて行うときに、読取り不良を生じた原稿をより分けて覚えておく必要がなく、液晶ディスプレイ３０の表示を見れば、再読込みする原稿のページ数を容易に確認することができる。そして、再読込み時には、液晶ディスプレイ３０に表示されたページの原稿を再読込みすればよいので、再読込みにかかるユーザの負担を軽減して作業性を良くすることができる。
【０１２４】
（第４実施形態）
続いて、本発明の画像読込装置及び画像データ表示プログラムの第４実施形態について図面を参照して説明する。
第４実施形態の画像読込装置１Ｃ及び画像データ表示プログラム４１Ｃは、読み取り不良を生じた原稿を再読込みして、画像データを差し替える点で第３実施形態と共通する。しかし、第４実施形態の画像読込装置１Ｃ及び画像データ表示プログラム４１Ｃは、読取り不良を生じたときに全ての原稿を読み直し、読み取り不良を生じた原稿の画像データを再読込みした原稿の画像データに置換する点で、読み取り不良を生じた原稿を１枚ずつ再読込みして画像データを置換する第３実施形態と相違する。よって、ここでは、第３実施形態と相違する点を中心に説明し、共通する点については図面及び説明に同一符号を用い、説明を適宜省略する。
【０１２５】
＜画像表示動作＞
図１２は、第４実施形態に係る複合機１Ｃが使用する画像データ表示プログラム４１Ｃのフロー図である。
図１２に示す処理は、図１０に示す処理と同様である。簡単に説明すると、ＦＡＸ送信プレビュー表示がＯＮ設定されているときに、ＦＡＸ送信表示プレービューのモードが第１モードである場合には、全ての原稿を読み取った後に読み取った原稿の読取り状態をユーザに１枚ずつ確認させ、ユーザが読取り不良を生じたと判断した原稿のページ数をＮＧページメモリ４４に蓄積して記憶していく（Ｓ６：ＯＮ、Ｓ９：第１モード、Ｓ２００２、Ｓ１０、Ｓ１１、Ｓ２００４、Ｓ２００５、Ｓ１３、Ｓ１４、Ｓ２００６、Ｓ２００７、Ｓ２００８参照）。また、ＦＡＸ送信プレビュー表示がＯＮ設定されているときに、ＦＡＸ送信表示プレービューのモードが第２モードである場合には、原稿を１枚読み取る毎に読み取った原稿の読取り状態をユーザに確認させ、ユーザが読取り不良を生じたと判断した原稿のページ数をＮＧページメモリ４４に蓄積して記憶していく（Ｓ６：ＯＮ、Ｓ９：第２モード、Ｓ２００９、Ｓ１８、Ｓ１９、Ｓ２０、Ｓ２１、Ｓ２０１０、Ｓ２０１１、Ｓ２２参照）。
【０１２６】
＜再読込動作＞
図１３は、図１２に示すフローのサブフローである。
第１モード又は第２モードに従って全ての原稿について読取り状態を確認したら、図１３のＳ３００１において、「全ての原稿をセットし直してください。」との案内メッセージを液晶ディスプレイ３０に表示する。そして、Ｓ３００２において、ユーザがスタートキー２９を押下したか否かを判断する。これは、ユーザが原稿をセットしたか否かを判断するために行う。
【０１２７】
スタートキー２９が押下されないと判断した場合には（Ｓ３００２：Ｎｏ）、ユーザがスタートキー２９を押下するまで待機する。
【０１２８】
一方、ユーザが全ての原稿を原稿給紙トレイ２２にセットし、スタートキー２７を押下した場合には（Ｓ３００２：Ｙｅｓ）、Ｓ３００３において、ＮＧページメモリ４４の配列を示す変数ｉと送出ページカウンタPGにゼロを代入する。これの処理により、ＮＧページメモリ４４が最初の領域から探索されるようになる。また、ＡＤＦ機構２１が送り出す原稿のページ数を、送出ページカウンタPGが最初からカウントできる状態になる。
【０１２９】
そして、Ｓ３００４において、送出ページカウンタPGに１を追加した後、Ｓ３００５において、ＮＧページメモリ４４のｉ番目のアドレスに記憶されるページ数と、送出ページカウンタPGが示すページ数とが等しいか否かを判断する。この判断は、読み込もうとしている原稿が読取り不良を生じた原稿であるか否かを判断するために行う。
【０１３０】
ＮＧページメモリ４４のｉ番目に記憶されるページ数と、送出ページカウンタPGがカウントするページ数とが等しくないと判断した場合には（Ｓ３００５：Ｎｏ）、当該原稿が読取り状態が適切であると判断できるので、Ｓ３００６において、画像を読み取ることなく原稿を１枚排出する。それから、Ｓ３０１３に進む。
【０１３１】
これに対して、ＮＧページメモリのアドレスｉに記憶されるページ数と、送出ページカウンタPGがカウントするページ数とが等しいと判断した場合には（Ｓ３００５：Ｙｅｓ）、当該原稿が読込み不良を生じた原稿であるので再読込みする必要がある。そこで、Ｓ３００７において、原稿を１枚読み込む。そして、Ｓ３００８において、読取った原稿の画像データを液晶ディスプレイ３０にプレビュー表示する。そして、Ｓ３００９において、「読取り画像はＯＫか？」との確認メッセージを液晶ディスプレイ３０に表示する。そして、Ｓ３０１０において、ＯＫキー２７又はキャンセルキー２８が押下されたか否かを判断する。この判断は、原稿の読み込みを継続するか否かについてユーザの意志を確認するために行う。
【０１３２】
キャンセルキー２８が押下されたと判断した場合には（Ｓ３０１０：Ｃａｎｃｅｌキー）、原稿読み込みを継続する意志がユーザにないと考えられるので、Ｓ１６へ進み、それまで読み込んだ原稿の画像データを全て消去する。そして、図１２のＳ３に戻り、待機状態になる。
【０１３３】
しかし、ＯＫキー２７が押下されたと判断した場合には（Ｓ３０１０：ＯＫキー）、原稿の読み込みを継続する意志がユーザにあると考えられる。そこで、Ｓ３０１１において、ＮＧページメモリ４４のｉ番目に記憶されているページに対応する原稿の画像データを、再読込みした原稿の画像データに入れ替える。それから、Ｓ３０１２において、アドレスｉに１を追加し、読取り不良を生じた次の原稿の再読込みを準備する。その後、Ｓ３０１３へ進む。
【０１３４】
Ｓ３０１３においては、次ページがあるか否かを判断する。次ページがあると判断した場合には（Ｓ３０１３：Ｙｅｓ）、Ｓ３００４に戻り、次ページの原稿を読み込む準備をする。Ｓ３００４以降の処理は上述したので説明を省略する。
【０１３５】
一方、次ページがないと判断した場合には（Ｓ３０１３：Ｎｏ）、Ｓ３０１４において、送出カウンタPGが示すページ数と、ページカウンタPAGEが示すページ数とが一致するか否かを判断する。この処理は、原稿を再読込みするために原稿給紙トレイ２２にセットした原稿の枚数が、最初に原稿読み込みした原稿の枚数に一致するか否かを判断することによって、ユーザが再読込みのために原稿給紙トレイ２２に原稿を正しくセットしたか否かを判断するために行う。
【０１３６】
送出ページカウンタPGが示すページ数と、ページカウンタPAGEが示すページ数とが一致すると判断した場合には（Ｓ３０１４：Ｙｅｓ）、Ｓ１７において、読み込んだ原稿の画像データをＦＡＸ送信する。
【０１３７】
これに対して、例えば、ＡＤＦ機構２１が原稿を２枚一緒に紙送りしたり、ユーザが原稿を入れ忘れた場合には、送出ページカウンタPGが示すページ数と、ページカウンタPAGEが示すページ数とが一致しない。この場合には（Ｓ３０１４：Ｎｏ）、原稿の読み込みを継続しても適切な読み込みをすることはできない。そこで、Ｓ３０１５において、「セットし直した原稿のページ数が異なります。」との警告メッセージを表示する。それから、Ｓ３０１６において、それまでに読み込んだ全ての原稿の画像データを消去する。その後、図１２のＳ３に戻り、待機状態になる。
【０１３８】
尚、上記第４実施形態において、読み込んだ原稿のデータ及び再読込みした原稿のデータはＲＡＭ３３に記憶される。そのため、ＲＡＭ３３が「第１記憶手段」と「第２記憶手段」に相当する。そして、図１３のＳ３０１１が「置換手段」に相当する。
【０１３９】
＜作用効果＞
従って、本実施形態の複合機１Ｃは、読取り不良が生じたときに、読取り不良が生じた原稿のページ数をＮＧページメモリ４４に記憶しておき（図１２のＳ２００６，２００７、Ｓ２０２０、Ｓ２０１１参照）、原稿読み取り後に全ての原稿を原稿給紙トレイ２２にセットし直して原稿を１枚ずつ送り出すときに、読取り不良を生じた原稿についてのみ再読込みを行う（図１３のＳ３００５：Ｙｅｓ、Ｓ３００７参照）。そして、再読込みした原稿の画像データは、先に読み込んだ原稿の画像データと置き換えられる（図１３のＳ３０１１参照）。よって、本実施形態の複合機１Ｃによれば、読み込みが良好に行われた画像データのみを効率良くＲＡＭ３３に蓄積することができる。また、再読込み時に１枚ずつ原稿をセットする必要がなく、再読込処理に手間がかからない。
【０１４０】
尚、本発明の実施の形態について説明したが、本発明は、上記実施の形態に限定されることなく、色々な応用が可能である。
【０１４１】
（１）例えば、上記実施の形態では、画像読込装置の一例として複合機１（１Ａ，１Ｂ，１Ｃ）を挙げた。これに対して、コピー装置、スキャナ装置、ファクシミリ装置など画像の読み込みを行うものを画像読込装置としてもよい。
【０１４２】
（２）例えば、上記実施の形態では、第１モードと第２モードの選択などの操作を操作パネル２３のキー類で指示したが、液晶ディスプレイ３０に表示されるタッチパネルで指示するようにしてもよい。
【０１４３】
（３）例えば、上記実施形態では、画像データを公衆回線網を介してファクシミリ送信する場合を例に挙げたが、インターネットＦＡＸを利用して画像データを送信する場合や、ＬＡＮ３を利用して他のパソコンに画像データを送信する場合などにも適用することができる。
【０１４４】
（４）例えば、上記実施形態では、図５及び図８、図１０、図１２のＳ１６に示すように、読み込んだデータを全て削除した後に待機状態に戻った。これに対して、読み込んだデータを全て削除した後に、原稿を最初から読み込み直すことをユーザに促す案内メッセージを液晶ディスプレイ３０に表示し、その状態で或いはその後に待機状態に戻っても良い。
（５）例えば、上記実施形態では、各メッセージを液晶ディスプレイ３０に表示したが、音声表示してもよい。
【図面の簡単な説明】
【０１４５】
【図１】本発明の第１実施形態に係る複合機を含むネットワークシステムの概念図である。
【図２】図１に示す複合機の外観斜視図であって、画像読取ユニットを閉じた状態を示す。
【図３】図１に示す複合機の外観斜視図であって、画像読取ユニットを開いた状態を示す。
【図４】図１に示す複合機の電気ブロック図である。
【図５】図４に示す画像データ表示プログラムのフロー図である。
【図６】図５に示すＦＡＸ送信プレビューＯＮ／ＯＦＦ設定設定処理を示すフロー図である。
【図７】図５に示すＦＡＸ送信プレビューモード設定処理を示すフロー図である。
【図８】本発明の第２実施形態に係る複合機が使用する画像データ表示プログラムのフロー図である。
【図９】本発明の第３実施形態に係る複合機の電気ブロック図である。
【図１０】図９に示す画像データ表示プログラムのフロー図である。
【図１１】図１０に示すフローのサブフローである。
【図１２】本発明の第４実施形態に係る複合機が使用する画像データ表示プログラムのフロー図である。
【図１３】図１２に示すフローのサブフローである。
【符号の説明】
【０１４６】
１，１Ａ，１Ｂ，１Ｃ  複合機（画像読込装置）
１２  画像読取ユニット（読込手段）
３０  液晶ディスプレイ（表示手段）
３３  ＲＡＭ（第１記憶手段、第２記憶手段）
４１，４１Ａ，４１Ｂ，４１Ｃ  画像データ表示プログラム（選択手段、表示指示手段、第１表示制御手段、第２表示制御手段、確認手段、破棄手段、送信制御手段、置換手段、指示表示手段、読込手段、選択手段、表示制御手段）
４４  ＮＧページメモリ（識別手段）
【図１】
2007274172.tif 000003
【図２】
2007274172.tif 000004
【図３】
2007274172.tif 000005
【図４】
2007274172.tif 000006
【図５】
2007274172.tif 000007
【図６】
2007274172.tif 000008
【図７】
2007274172.tif 000009
【図８】
2007274172.tif 000010
【図９】
2007274172.tif 000011
【図１０】
2007274172.tif 000012
【図１１】
2007274172.tif 000013
【図１２】
2007274172.tif 000014
【図１３】
2007274172.tif 000015